(57)【特許請求の範囲】
【請求項１】
中央に溝１ａを有するレール１と、クランプ台２と、該クランプ台２上に立設した支持ポスト３と、該支持ポスト３の上端部に設けたガットを挟持する、一方側４ａを後記の通り前記支持ポスト３の円筒体３ｂの上端に固着すると共に他方側４ｂを該一方側４ａに接離自在に設け、相互間に拡圧コイルバネを介在させてなる一対の挟持体４と、前記一対の挟持体４を合わせた状態で貫挿する軸杆５ａを有すると共に該軸杆５ａの先端部に刻設したネジ部に締め付けナット６を螺装した押圧板５と、前記押圧板５の下端部に基部近傍を枢着し、前記一対の挟持体４を開閉するクランプハンドル７とからなり、更に前記クランプ台２を、平面船形をなした本体部８と、該本体部８の凹部１１に前後方向、即ち、支持ポスト３と接離する方向に移動自在に収容すると共に本体部８との間に設けた拡圧コイルバネ３１、３１をもって常時後退するよう、即ち、支持ポスト３から離れるよう附勢し、更に後端部に前端が後記押圧作動子２２の後端部に接触する締め付け調整ネジ１６を螺装した枠状押圧作動体１５と、本体部８の中央部に設けた制動体の嵌合孔１２に上下方向摺動自在に嵌合した、逆円錐台形部分１７ａと、これの下部に一体的に連成したレール１の溝１ａと略同じ幅の板状部分１７ｂとからなる制動体１７と、該制動体１７の下部に連結する、前記制動体１７における板状部分１７ｂと同じ幅の板状部分２０ａと、これの下部に一体的に連成した、該板状部分２０ａより幅の広い板状部分２０ｂとからなる挟持体２０と、本体部８に設けた前記制動体の嵌合孔１２におけるテーパー状の斜面に設けた、前記枠状押圧作動体１５を収容する凹部１１に連通する嵌合孔１４に前後方向移動自在に嵌合し、制動体１７における逆円錐台形部分１７ａに接触する、前端面を該逆円錐台形部分１７ａのテーパーに合わせた形状とした押圧作動子２２と、本体部８の前記制動体の嵌合孔１２より前方、即ち、支持ポスト３寄りに設けたカム軸支承筒１３に回動自在に支承した、軸方向中央部に偏心カム２４を一体的に形成したカム軸２３と、該カム軸２３の前記本体部８から突出する上端部に円盤状の基部２５ａを固着したクランプ台固定レバー２５とをもって構成してなるテニスラケット等のガット張り装置におけるガットクランプ機構において、円柱体３ａと、これを摺動自在に嵌挿する円筒体３ｂとからなる前記支持ポスト３を、その円柱体３ａをクランプ台２の本体部８の先細となった一端側に立設し、円筒体３ｂの上端に一対の挟持体４の一方側４ａを固着し、またクランプ台２の本体部８における支持ポスト３の後方側、即ち、支持ポスト３と前記カム軸２３との間であって、該支持ポスト３における円筒体３ｂが落下したときにその下端が接触して押し下げる位置に、ロックピン９を出没自在に設けると共に、拡圧コイルバネ１０を介して常時上端が突出するように附勢し、更にクランプ台固定レバー２５の円盤状の基部２５ａの下面における前部、即ち、支持ポスト３側に、前記ロックピン９の上端部が半分程度嵌まる半円状の切欠き２６を設けると共に、中心におけるカム軸挿通孔２７の外側に、前記本体部８の上面に設けたストッパーピン２８が摺動自在に嵌合する所定の長さの弧状溝２９を設け、クランプハンドル７を、押圧板５との枢着部分を回動支点として上に持ち上げて回し、一対の挟持体４による挟持を解除したときにおいて、該クランプハンドル７を握る力をゆるめると、クランプハンドル７の基部近傍と押圧板５の下端部は枢着連結されていることによりこの部分において折れ曲がり、押圧板５と、一対の挟持体４並びに支持ポスト３の円筒体３ｂとがそれらの自重により一緒に落下し、該円筒体３ｂの下端部が衝撃によってロックピン９を押し込み、これによってロックピン９のクランプ台固定レバー２５における円盤状の基部２５ａに設けた半円状の切欠き２６から外れてロックが解除されるようになしたことを特徴とするテニスラケット等のガット張り装置におけるガットクランプ機構。
【請求項２】
中央に溝１ａを有するレール１と、クランプ台２と、該クランプ台２上に立設した支持ポスト３と、該支持ポスト３の上端部に設けたガットを挟持する、一方側４ａを後記の通り前記支持ポスト３の円筒体３ｂの上端に固着すると共に他方側４ｂを該一方側４ａに接離自在に設け、相互間に拡圧コイルバネを介在させてなる一対の挟持体４と、前記一対の挟持体４を合わせた状態で貫挿する軸杆５ａを有すると共に該軸杆５ａの先端部に刻設したネジ部に締め付けナット６を螺装した押圧板５と、前記押圧板５の下端部に基部近傍を枢着し、前記一対の挟持体４を開閉するクランプハンドル７とからなり、更に前記クランプ台２を、平面船形をなした本体部８と、該本体部８の凹部１１に前後方向、即ち、支持ポスト３と接離する方向に移動自在に収容すると共に本体部８との間に設けた拡圧コイルバネ３１、３１をもって常時後退するよう、即ち、支持ポスト３から離れるよう附勢し、更に後端部に前端が後記押圧作動子２２の後端部に接触する締め付け調整ネジ１６を螺装した枠状押圧作動体１５と、本体部８の中央部に設けた制動体の嵌合孔１２に上下方向摺動自在に嵌合した、逆円錐台形部分１７ａと、これの下部に一体的に連成したレール１の溝１ａと略同じ幅の板状部分１７ｂとからなる制動体１７と、該制動体１７の下部に連結する、前記制動体１７における板状部分１７ｂと同じ幅の板状部分２０ａと、これの下部に一体的に連成した、該板状部分２０ａより幅の広い板状部分２０ｂとからなる挟持体２０と、本体部８に設けた前記制動体の嵌合孔１２におけるテーパー状の斜面に設けた、前記枠状押圧作動体１５を収容する凹部１１に連通する嵌合孔１４に前後方向移動自在に嵌合し、制動体１７における逆円錐台形部分１７ａに接触する、前端面を該逆円錐台形部分１７ａのテーパーに合わせた形状とした押圧作動子２２と、本体部８の前記制動体の嵌合孔１２より前方、即ち、支持ポスト３寄りに設けたカム軸支承筒１３に回動自在に支承した、軸方向中央部に偏心カム２４を一体的に形成したカム軸２３と、該カム軸２３の前記本体部８から突出する上端部に円盤状の基部２５ａを固着したクランプ台固定レバー２５とをもって構成してなるテニスラケット等のガット張り装置におけるガットクランプ機構において、前記円柱体３ａと、これを摺動自在に嵌挿する円筒体３ｂとからなる支持ポスト３を、その円柱体３ａをクランプ台２の本体部８の先細となった一端側に立設し、円筒体３ｂの上端に一対の挟持体４の一方側４ａを固着し、またクランプ台２の本体部８における支持ポスト３の後方側、即ち、支持ポスト３と前記カム軸２３との間であって、該支持ポスト３における円筒体３ｂが落下したときにその下端が接触して押し下げる位置に、ロックピン９を出没自在に設けると共に、拡圧コイルバネ１０を介して常時上端が突出するように附勢し、更にクランプ台固定レバー２５の円盤状の基部２５ａの下面における前部、即ち、支持ポスト３側に、前記ロックピン９の上端部が半分程度嵌まる半円状の切欠き２６を設けると共に、中心におけるカム軸挿通孔２７の外側に、前記本体部８の上面に設けたストッパーピン２８が摺動自在に嵌合する所定の長さの弧状溝２９を設け、クランプハンドル７を、押圧板５との枢着部分を回動支点として上に持ち上げて回し、一対の挟持体４による挟持を解除したときにおいて、該クランプハンドル７を握る力をゆるめると、クランプハンドル７の基部近傍と押圧板５の下端部は枢着連結されていることによりこの部分において折れ曲がり、押圧板５と、一対の挟持体４並びに支持ポスト３の円筒体３ｂとがそれらの自重により一緒に落下し、該円筒体３ｂの下端部が衝撃によってロックピン９を押し込み、これによってロックピン９のクランプ台固定レバー２５における円盤状の基部２５ａに設けた半円状の切欠き２６から外れてロックが解除されるようになし、更にクランプ台固定レバー２５の円盤状の基部２５ａの前部における半円状の切欠き２６の位置に、下端が前記ロックピン９の上端に接触するロック解除操作ピン３３を上下方向移動自在に貫設したことを特徴とするテニスラケット等のガット張り装置におけるガットクランプ機構。
【発明の詳細な説明】
【０００１】
【発明の属する技術分野】
本発明はテニスラケット等のガット張り装置におけるガットクランプ機構に関するものである。
【０００２】
【従来の技術】
テニスやバドミントン等のラケットのガット張り装置は、図２６、図２７に示す如く、ラケットの固定台１００、１００と、ガットクランプ機構１０１、１０１と、ガットを所定の圧力で引っ張るテンションユニット１０２とからなるものである。
【０００３】
そして、該装置におけるガットクランプ機構１０１は、ガイドレール１０３に沿って左右方向に移動調節自在のクランプ台１０１Ａと、該クランプ台１０１Ａ上に立設した支持ポスト１０１Ｂと、一方側１０１Ｃ′を前記支持ポスト１０１Ｂの上端に固着すると共に他方側１０１Ｃ″を該一方側１０１Ｃ′に接離自在に設け、相互間に拡圧コイルバネ（図示せず。）を介在させた一対の挟持体１０１Ｃと、該一対の挟持体１０１Ｃを合わせた状態で貫挿する軸杆１０１Ｄを有すると共に該軸杆１０１Ｄの先端部に刻設したネジ部に締め付け調整ナット１０１Ｅを螺装した押圧板１０１Ｆと、該押圧板１０１Ｆの一端部に枢着したクランプハンドル１０１Ｇとからなるものである。尚、前記支持ポスト１０１Ｂは、クランプ台１０１Ａに固着した円筒体１０１Ｂ′と、一対の挟持体１０１Ｃの一方側１０１Ｃ′を固着し、該円筒体１０１Ｂ′に摺動自在に嵌挿する円柱体１０１Ｂ″とからなっている。また、１０１Ｈは、クランプ台１０１Ａに設けた、これとレール１０３との締め付け調整ネジ、１０１Ｉはクランプ台１０１Ａをレールに固定するレバーである。
【０００４】
そして、ガットをクランプするときには、クランプハンドル１０１Ｇを押し下げることによって行う。これにより押圧板１０１Ｆが下端が外側に上端が内側に傾いて一方側の挟持体１０１Ｃ″を押圧し、一対の挟持体１０１Ｃ間にガットを挟持するものである。
【０００５】
【発明が解決しようとする課題】
而して、斯かる従来のガットクランプ機構にあっては、次の如き問題点がある。その第１の問題点は、クランプ台固定レバー１０１Ｉが何らかのはずみで勝手に戻ってしまうことである。即ち、クランプ台固定レバー１０１Ｉを締め付け方向に回してクランプ台１０１Ａをレール１０３上における所定の位置及び角度に固定した状態においてガット張りの作業をする際に、手が当たったり、ガットがからまったりする等何らかのはずみでショックが加わると、該クランプ台固定レバー１０１Ｉが締め付け解除方向に勝手に戻ってしまうことである。この場合には、それまで張っていたものが全てゆるんでしまい、無駄な手間と時間を要することになる。
【０００６】
また、ガットクランプ作業は、先ずクランプハンドル１０１Ｇを押し下げて一対の挟持体１０１Ｃ間にガットを挟持させ、次にクランプ台固定レバー１０１Ｉを締め付け方向に回してこれをレール１０３上の所定の位置に固定し、その後再びクランプハンドル１０１Ｇを上げて一対の挟持体１０１Ｃによる挟持を解除し、最後にクランプ台固定レバー１０１Ｉを締め付け解除方向へ押し戻す、という一連の作業によって成り立っている。しかし、このように少なくとも４つの作業工程を要する分、作業能率が悪かった。これが第２の問題点である。
【０００７】
本発明は上記の点に鑑みなされたものであって、クランプ台固定レバーを一旦締め付け方向に回した後は、手が接触する等の何らかのショックが加わったとしても勝手にこれが戻ることがなく、またクランプハンドルを、押圧板との枢着部分を回動支点として持ち上げて回し、一対の挟持体による挟持を解除したときにおいてクランプハンドルを握る力をゆるめれば、該クランプハンドルを枢着した押圧板と、一対の挟持体並びに支持ポストの円筒体とが自重によって一緒に落下し、該円筒体の下端部が衝撃によってロックピンを押し込み、これによりロックピンがクランプ台固定レバーにおける円盤状の基部に設けた半円状の切欠きから外れ、クランプ台固定レバーが締め付け解除方向に戻るようになし、もって上記の問題点を悉く解消することができるようになしたガットクランプ機構を提供せんとするものである。
【０００８】
【課題を解決するための手段】
而して、本発明の要旨とするところは、以下の通りである。
（１）中央に溝１ａを有するレール１と、クランプ台２と、該クランプ台２上に立設した支持ポスト３と、該支持ポスト３の上端部に設けたガットを挟持する、一方側４ａを後記の通り前記支持ポスト３の円筒体３ｂの上端に固着すると共に他方側４ｂを該一方側４ａに接離自在に設け、相互間に拡圧コイルバネを介在させてなる一対の挟持体４と、前記一対の挟持体４を合わせた状態で貫挿する軸杆５ａを有すると共に該軸杆５ａの先端部に刻設したネジ部に締め付けナット６を螺装した押圧板５と、前記押圧板５の下端部に基部近傍を枢着し、前記一対の挟持体４を開閉するクランプハンドル７とからなり、更に前記クランプ台２を、平面船形をなした本体部８と、該本体部８の凹部１１に前後方向、即ち、支持ポスト３と接離する方向に移動自在に収容すると共に本体部８との間に設けた拡圧コイルバネ３１、３１をもって常時後退するよう、即ち、支持ポスト３から離れるよう附勢し、更に後端部に前端が後記押圧作動子２２の後端部に接触する締め付け調整ネジ１６を螺装した枠状押圧作動体１５と、本体部８の中央部に設けた制動体の嵌合孔１２に上下方向摺動自在に嵌合した、逆円錐台形部分１７ａと、これの下部に一体的に連成したレール１の溝１ａと略同じ幅の板状部分１７ｂとからなる制動体１７と、該制動体１７の下部に連結する、前記制動体１７における板状部分１７ｂと同じ幅の板状部分２０ａと、これの下部に一体的に連成した、該板状部分２０ａより幅の広い板状部分２０ｂとからなる挟持体２０と、本体部８に設けた前記制動体の嵌合孔１２におけるテーパー状の斜面に設けた、前記枠状押圧作動体１５を収容する凹部１１に連通する嵌合孔１４に前後方向移動自在に嵌合し、制動体１７における逆円錐台形部分１７ａに接触する、前端面を該逆円錐台形部分１７ａのテーパーに合わせた形状とした押圧作動子２２と、本体部８の前記制動体の嵌合孔１２より前方、即ち、支持ポスト３寄りに設けたカム軸支承筒１３に回動自在に支承した、軸方向中央部に偏心カム２４を一体的に形成したカム軸２３と、該カム軸２３の前記本体部８から突出する上端部に円盤状の基部２５ａを固着したクランプ台固定レバー２５とをもって構成してなるテニスラケット等のガット張り装置におけるガットクランプ機構において、円柱体３ａと、これを摺動自在に嵌挿する円筒体３ｂとからなる前記支持ポスト３を、その円柱体３ａをクランプ台２の本体部８の先細となった一端側に立設し、円筒体３ｂの上端に一対の挟持体４の一方側４ａを固着し、またクランプ台２の本体部８における支持ポスト３の後方側、即ち、支持ポスト３と前記カム軸２３との間であって、該支持ポスト３における円筒体３ｂが落下したときにその下端が接触して押し下げる位置に、ロックピン９を出没自在に設けると共に、拡圧コイルバネ１０を介して常時上端が突出するように附勢し、更にクランプ台固定レバー２５の円盤状の基部２５ａの下面における前部、即ち、支持ポスト３側に、前記ロックピン９の上端部が半分程度嵌まる半円状の切欠き２６を設けると共に、中心におけるカム軸挿通孔２７の外側に、前記本体部８の上面に設けたストッパーピン２８が摺動自在に嵌合する所定の長さの弧状溝２９を設け、クランプハンドル７を、押圧板５との枢着部分を回動支点として上に持ち上げて回し、一対の挟持体４による挟持を解除したときにおいて、該クランプハンドル７を握る力をゆるめると、クランプハンドル７の基部近傍と押圧板５の下端部は枢着連結されていることによりこの部分において折れ曲がり、押圧板５と、一対の挟持体４並びに支持ポスト３の円筒体３ｂとがそれらの自重により一緒に落下し、該円筒体３ｂの下端部が衝撃によってロックピン９を押し込み、これによってロックピン９のクランプ台固定レバー２５における円盤状の基部２５ａに設けた半円状の切欠き２６から外れてロックが解除されるようになしたことを特徴とするテニスラケット等のガット張り装置におけるガットクランプ機構。
【０００９】
（２）中央に溝１ａを有するレール１と、クランプ台２と、該クランプ台２上に立設した支持ポスト３と、該支持ポスト３の上端部に設けたガットを挟持する、一方側４ａを後記の通り前記支持ポスト３の円筒体３ｂの上端に固着すると共に他方側４ｂを該一方側４ａに接離自在に設け、相互間に拡圧コイルバネを介在させてなる一対の挟持体４と、前記一対の挟持体４を合わせた状態で貫挿する軸杆５ａを有すると共に該軸杆５ａの先端部に刻設したネジ部に締め付けナット６を螺装した押圧板５と、前記押圧板５の下端部に基部近傍を枢着し、前記一対の挟持体４を開閉するクランプハンドル７とからなり、更に前記クランプ台２を、平面船形をなした本体部８と、該本体部８の凹部１１に前後方向、即ち、支持ポスト３と接離する方向に移動自在に収容すると共に本体部８との間に設けた拡圧コイルバネ３１、３１をもって常時後退するよう、即ち、支持ポスト３から離れるよう附勢し、更に後端部に前端が後記押圧作動子２２の後端部に接触する締め付け調整ネジ１６を螺装した枠状押圧作動体１５と、本体部８の中央部に設けた制動体の嵌合孔１２に上下方向摺動自在に嵌合した、逆円錐台形部分１７ａと、これの下部に一体的に連成したレール１の溝１ａと略同じ幅の板状部分１７ｂとからなる制動体１７と、該制動体１７の下部に連結する、前記制動体１７における板状部分１７ｂと同じ幅の板状部分２０ａと、これの下部に一体的に連成した、該板状部分２０ａより幅の広い板状部分２０ｂとからなる挟持体２０と、本体部８に設けた前記制動体の嵌合孔１２におけるテーパー状の斜面に設けた、前記枠状押圧作動体１５を収容する凹部１１に連通する嵌合孔１４に前後方向移動自在に嵌合し、制動体１７における逆円錐台形部分１７ａに接触する、前端面を該逆円錐台形部分１７ａのテーパーに合わせた形状とした押圧作動子２２と、本体部８の前記制動体の嵌合孔１２より前方、即ち、支持ポスト３寄りに設けたカム軸支承筒１３に回動自在に支承した、軸方向中央部に偏心カム２４を一体的に形成したカム軸２３と、該カム軸２３の前記本体部８から突出する上端部に円盤状の基部２５ａを固着したクランプ台固定レバー２５とをもって構成してなるテニスラケット等のガット張り装置におけるガットクランプ機構において、前記円柱体３ａと、これを摺動自在に嵌挿する円筒体３ｂとからなる支持ポスト３を、その円柱体３ａをクランプ台２の本体部８の先細となった一端側に立設し、円筒体３ｂの上端に一対の挟持体４の一方側４ａを固着し、またクランプ台２の本体部８における支持ポスト３の後方側、即ち、支持ポスト３と前記カム軸２３との間であって、該支持ポスト３における円筒体３ｂが落下したときにその下端が接触して押し下げる位置に、ロックピン９を出没自在に設けると共に、拡圧コイルバネ１０を介して常時上端が突出するように附勢し、更にクランプ台固定レバー２５の円盤状の基部２５ａの下面における前部、即ち、支持ポスト３側に、前記ロックピン９の上端部が半分程度嵌まる半円状の切欠き２６を設けると共に、中心におけるカム軸挿通孔２７の外側に、前記本体部８の上面に設けたストッパーピン２８が摺動自在に嵌合する所定の長さの弧状溝２９を設け、クランプハンドル７を、押圧板５との枢着部分を回動支点として上に持ち上げて回し、一対の挟持体４による挟持を解除したときにおいて、該クランプハンドル７を握る力をゆるめると、クランプハンドル７の基部近傍と押圧板５の下端部は枢着連結されていることによりこの部分において折れ曲がり、押圧板５と、一対の挟持体４並びに支持ポスト３の円筒体３ｂとがそれらの自重により一緒に落下し、該円筒体３ｂの下端部が衝撃によってロックピン９を押し込み、これによってロックピン９のクランプ台固定レバー２５における円盤状の基部２５ａに設けた半円状の切欠き２６から外れてロックが解除されるようになし、更にクランプ台固定レバー２５の円盤状の基部２５ａの前部における半円状の切欠き２６の位置に、下端が前記ロックピン９の上端に接触するロック解除操作ピン３３を上下方向移動自在に貫設したことを特徴とするテニスラケット等のガット張り装置におけるガットクランプ機構。
【００１０】
【発明の実施の形態】
以下、本発明の実施の形態について図面を参照しつつ説明する。
図１は本発明の第１実施形態の斜視図、図２は同正面図、図３は支持ポストにおける円筒体を円柱体から外した状態の右側面図、図４は支持ポストを途中で切断し、上蓋を外した状態の平面図、図５は図４中Ａ−Ａ線断面図、図６はクランプ台固定レバーの正面図、図７は同左側面図、図８は同底面図、図９はカム軸の正面図、図１０は同右側面図、図１１は同平面図、図１２は枠状押圧作動体の正面図、図１３は同平面図、図１４は制動体の正面図、図１５は同底面図、図１６は押圧作動子の斜視図、図１７は挟持体の正面図、図１８は同平面図、図１９はフリー状態の平面図、図２０はフリー状態の斜視図、図２１は固定状態の平面図、図２２は固定状態の斜視図である。
【００１１】
図中、１は中央に溝１ａを有するレールである。２はクランプ台である。尚、該クランプ台２の詳細は後述する。３は前記クランプ台２上に立設した支持ポストである。また、該支持ポスト３は、従来品における支持ポストと異なり、円柱体３ａをクランプ台２に固着し、これを摺動自在に嵌挿する円筒体３ｂを後記一対の挟持体の一方側に固着している。
【００１２】
４は一対の挟持体であり、一方側４ａを前記支持ポスト３の円筒体３ｂの上端に固着すると共に他方側４ｂを該一方側４ａに接離自在に設け、相互間に拡圧コイルバネ（図示せず。）を介在させてなるものである。
【００１３】
５は前記一対の挟持体４を合わせた状態で貫挿する軸杆５ａを有すると共に該軸杆５ａの先端部に刻設したネジ部に締め付けナット６を螺装した押圧板である。７は基部にカムを形成し、基部近傍を前記押圧板５の下端部に枢着したクランプハンドルである。
【００１４】
本発明に係るガットクランプ機構は従来と同様に上記の部材をもって構成されるものである。そしてまた、前記クランプ台２は次の如き部材をもって構成されている。
【００１５】
８はクランプ台２の本体部であり、平面船形をなし、先細となった一端側に前記支持ポスト３における円柱体３ａを立設している。また、該支持ポスト３より後方側であって該支持ポスト３における円筒体３ｂが落下したときその下端が接触する位置に、ロックピン９を出没自在に設けると共に、該ロックピン９を拡圧コイルバネ１０をもって常時上端が突出するように附勢している。
【００１６】
更にまた、該本体部８には、後記枠状押圧作動体を前後方向、即ち、前記支持ポスト３と接離する方向に移動自在に収容する凹部１１と、略中央部に設けた後記制動体を上下方向摺動自在に嵌合する嵌合孔１２と、該制動体の嵌合孔１２と前記ロックピン９との間に設けたカム軸支承孔１３とを夫々設けている。そしてまた、前記ロックピン９と反対側の位置における前記制動体の嵌合孔１２のテーパー状の斜面には、前記枠状押圧作動体を収容する凹部１１に連通し、後記押圧作動子を前後方向移動自在に嵌合する嵌合孔１４を設けている。また、８′は本体部８の後端部に設けた後記締め付け調整ネジの挿通孔、８ａは本体部８の上蓋である。
【００１７】
１５は前記本体部８の凹部１１に前後方向移動自在に収容する枠状押圧作動体である。また、該枠状押圧作動体１５は、その平面形状を本体部８と同様の船形とし、後部中央には前後方向に進退するように締め付け調整ネジ１６を螺装している。
【００１８】
１７は前記本体部８の制動体の嵌合孔１２に上下方向摺動自在に嵌合する制動体である。また、該制動体１７は、逆円錐台形部分１７ａと、これの下部に一体的に連成した、レール１の溝１ａと略同じ幅の板状部分１７ｂとからなるものであり、該板状部分１７ｂには、その下面に連結ネジ１９、１９を螺合するネジ孔１８、１８を設けている。
【００１９】
２０は挟持体であり、前記連結ネジ１９、１９をもって前記制動体１７と連結一体化するものである。また、該挟持体２０は、前記制動体１７における板状部分１７ｂと同じ幅の板状部分２０ａと、該板状部分２０ａの下部に一体的に連成した、該板状部分２ａより幅の広い板状部分２０ｂとからなるものであり、該板状部分２０ｂには前記連結ネジ１９、１９を螺合するネジ孔２１、２１を設けている。
【００２０】
２２は前記本体部８の嵌合孔１４に前後方向移動自在に嵌合する押圧作動子であり、前端面を前記制動体１７における逆円錐台形部分１７ａのテーパーに合わせた形状としている。
【００２１】
２３は前記本体部８のカム軸支承孔１３に回動自在に嵌合するカム軸であり、軸方向中央部に偏心カム２４を一体的に形成している。そしてまた、該カム軸２３は、その偏心カム２４の頂点の位置が、ロックの解除の状態においては図１９に示す如く支持ポスト３に対して略直角の位置に、またロック状態においては図２１に示す如く前記位置より支持ポスト３に正対する位置側に僅かに寄った位置となるようにして取り付けている。
【００２２】
２５は前記カム軸２３の本体部８からの突出部分に固着するクランプ台固定レバーである。また、該クランプ台固定レバー２５は、円盤状の基部２５ａの下面における前部に、前記ロックピン９の上端部が半分程度嵌まる半円状の切欠き２６を設けると共に、中心部におけるカム軸挿通孔２７の外側に、前記本体部８の上面に設けたストッパーピン２８が摺動自在に嵌合する所定の長さの弧状溝２９を設けている。尚、３０は連結ピンの挿通孔である。
【００２３】
３１、３１は前記本体部８と前記枠状押圧作動体１５の後部側内面との間に設けた拡圧コイルバネであり、該枠状押圧作動体１５を常時後退するよう附勢するものである。また、３２は前記枠状押圧作動体１５の外面と前記締め付け調整ネジ１６のつまみ部１６ａとの間に設けたゆるみ止め用の拡圧コイルバネである。
【００２４】
次に、上記実施形態の作用について説明する。
図１９に示す如くクランプ台固定レバー２５を矢標方向に回すと、カム軸２３が回って、その偏心カム２４も前方側にずれる。これに伴い枠状押圧作動体１５はその前端側内面が前方側に押し出され、拡圧コイルバネ３１、３１の作用に抗して前方側に移動する。
【００２５】
そしてまた、これに伴い該枠状押圧作動体１５に螺装した締め付け調整ネジ１６の前端が押圧作動子２２を前方に押し出し、その前端面を制動体１７における逆円錐台形部分１７ａに強く押し付ける。これにより制動体１７に対して本体部８は水平方向への回動が阻止されることになる。またこれと同時に制動体１７は押圧作動子２２によって斜め下方から上方に押し上げられるよう作用し、これにより連結ネジ１９、１９をもって一体化された挟持体２０が引き上げられ、これら本体部８の下面と、挟持体２０の板状部分２０ｂとの間にレール１を強く挟み付け、もって本体部８をレール１における所定の位置に固定するものである。
【００２６】
そしてまた、この状態となったときには、図２１及び図２２に示す如く、クランプ台固定レバー２５における基部２５ａに設けた半円状の切欠き２６に、本体部８に設けたロックピン９が上昇して嵌まり込む。したがって、この状態は強固に維持され、何らかのショックが加わったとしてもクランプ台固定レバー２５は元の締め付け解除方向に勝手に戻らないものである。
【００２７】
そして更に、クランプハンドル７を、押圧板５との枢着部分を回動支点として上に持ち上げて回し、一対の挟持体４による挟持を解除したときにおいて該クランプハンドル７を握る力をゆるめれば、即ち、クランプハンドル７を単に力を入れずにゆるく握っていれば、クランプハンドル７の基部は押圧板５の下端部に枢着されており、該クランプハンドル７と押圧板５との接続部はヒンジの如く自由に折れ曲がるから、押圧板５と、一対の挟持体４並びに支持ポスト３の円筒体３ｂとがそれらの自重により一緒に落下し、該円筒体３ｂの下端部が衝撃によってロックピン９を瞬間的に押し込む。これによりロックピン９はクランプ台固定レバー２５における円盤状の基部２５ａに設けた半円状の切欠き２６から外れ、もってロックが解除されてクランプ台固定レバー２５は元の締め付け解除方向に戻るものである。また、このクランプ台固定レバー２５の元の締め付け解除方向への戻りは、前記と逆の手順を経て行われるものであり、コイルバネ３１、３１が枠状押圧作動体１５を後方側に押し出し、そしてこれに伴いカム軸２３もその偏心カム２４が元の方向にずれることによって回り、これによりクランプ台固定レバー２５が元の締め付け解除方向に戻るものである。また、押圧作動子２２の制動体１７への加圧もなくなり、よって制動体１７に対する本体部８ａの水平方向への回動が自由となり、且つまた制動体１７は自重で下がるから本体部８をレール１におけるどこの位置にも自由にずらすことができるものである。
【００２８】
次に、図２３乃至図２５に示した本発明の第２実施形態について説明する。
図２３は要部を断面で示した側面図、図２４はロック状態における斜視図、図２５はロック解除状態における斜視図である。
【００２９】
本実施形態は、前記第１実施形態に次の構成を付加してなるものである。而して、その付加した構成は、クランプ台固定レバー２５の円盤状の基部２５ａの前部における半円状の切欠き２６の位置に、下端がロックピン９の上端に接触するロック解除操作ピン３３を上下方向移動自在に貫設した点にある。また、３４は抜け止め用のＣリングである。尚、図において第１実施形態と同一の部材には同一の符号を付し、詳細な説明は省略する。
【００３０】
而して、本実施形態の場合には、前記第１実施形態の作用に加えて、ロック解除操作ピン３３を押し下げてロックピン９を押し込み、もってロックを解除することも可能となすものである。
【００３１】
【発明の効果】
本発明は上記の如き構成、作用であるから、クランプ台固定レバーを一旦締め付け方向に回した後は、何らかのショックが加わったとしても簡単には元の締め付け解除方向に戻らないものである。また、請求項１記載の構成の場合には、クランプハンドルを、押圧板との枢着部分を回動支点として上に持ち上げて回し、一対の挟持体による挟持を解除したときにおいてクランプハンドルを握る力をゆるめれば、該クランプハンドルと押圧板とは枢着によりその接続部分で折れ曲がり、該クランプハンドルを枢着した押圧板と、一対の挟持体並びに支持ポストの円筒体とが自重によって一緒に落下し、該円筒体の下端部が衝撃によってロックピンを押し込み、これによりロックピンがクランプ台固定レバーにおける円盤状の基部に設けた半円状の切欠きから外れ、クランプ台固定レバーが締め付け解除方向に戻るものであり、もって作業能率を向上させることができるものである。
【００３２】
また、請求項２記載の構成の場合には、前記請求項１記載の構成の場合の作用、効果に加えて、ロック解除操作ピンを押し下げてロックピンを押し込むことによるロック解除も可能となるものであり、より使い勝手か良くなるものである。
【図面の簡単な説明】
【図１】本発明の第１実施形態の斜視図である。
【図２】本発明の第１実施形態の正面図である。
【図３】本発明の第１実施形態の支持ポストにおける円筒体を円柱体から外した状態の右側面図である。
【図４】本発明の第１実施形態の支持ポストを途中で切断し、上蓋を外した状態の平面図である。
【図５】図４中Ａ−Ａ線断面図である。
【図６】クランプ台固定レバーの正面図である。
【図７】クランプ台固定レバーの左側面図である。
【図８】クランプ台固定レバーの底面図である。
【図９】カム軸の正面図である。
【図１０】カム軸の右側面図である。
【図１１】カム軸の平面図である。
【図１２】枠状押圧作動体の正面図である。
【図１３】枠状押圧作動体の平面図である。
【図１４】制動体の正面図である。
【図１５】制動体の底面図である。
【図１６】押圧作動子の斜視図である。
【図１７】挟持体の正面図である。
【図１８】挟持体の平面図である。
【図１９】本発明のフリー状態の平面図である。
【図２０】本発明のフリー状態の斜視図である。
【図２１】本発明の固定状態の平面図である。
【図２２】本発明の固定状態の斜視図である。
【図２３】本発明の第２実施形態の要部を断面で示した側面図である。
【図２４】本発明の第２実施形態のロック状態における斜視図である。
【図２５】本発明の第２実施形態のロック解除状態における斜視図である。
【図２６】従来のテニスラケット等のガット張り装置の説明図である。
【図２７】従来のガットクランプ機構の説明図である。
【符号の説明】
１  レール
２  クランプ台
３  支持ポスト
３ａ  支持ポストにおける円柱体
３ｂ  支持ポストにおける円筒体
４  一対の挟持体
７  クランプハンドル
８  クランプ台の本体部
９  ロックピン
１５  枠状押圧作動体
１６  締め付け調整ネジ
１７  制動体
１７ａ  制動体における逆円錐台形部分
１７ｂ  制動体における板状部分
２０  挟持体
２０ａ  挟持体における板状部分
２０ｂ  挟持体における板状部分
２２  押圧作動子
２３  カム軸
２４  偏心カム
２５  クランプ台固定レバー
２６  半円状の切欠き
２７  カム軸挿通孔
２８  ストッパーピン
２９  弧状溝
３１、３１  拡圧コイルバネ
３３  ロック解除操作ピン
３４  抜け止め用のＣリング
【図１】
0004044384.tif 000002
【図２】
0004044384.tif 000003
【図３】
0004044384.tif 000004
【図４】
0004044384.tif 000005
【図５】
0004044384.tif 000006
【図６】
0004044384.tif 000007
【図７】
0004044384.tif 000008
【図８】
0004044384.tif 000009
【図９】
0004044384.tif 000010
【図１０】
0004044384.tif 000011
【図１１】
0004044384.tif 000012
【図１２】
0004044384.tif 000013
【図１３】
0004044384.tif 000014
【図１４】
0004044384.tif 000015
【図１５】
0004044384.tif 000016
【図１６】
0004044384.tif 000017
【図１７】
0004044384.tif 000018
【図１８】
0004044384.tif 000019
【図１９】
0004044384.tif 000020
【図２０】
0004044384.tif 000021
【図２１】
0004044384.tif 000022
【図２２】
0004044384.tif 000023
【図２３】
0004044384.tif 000024
【図２４】
0004044384.tif 000025
【図２５】
0004044384.tif 000026
【図２６】
0004044384.tif 000027
【図２７】
0004044384.tif 000028